(57)【要約】【課題】第１媒体よりも幅狭の第２媒体を第２導入口に良好に挿入できる、画像読取装置および搬送装置を提供する。【解決手段】筐体２には、カード導入口１２１と同じ位置に配置され、左右方向に間隔を空けた２つの壁部１４１が設けられたトレイ４が備えられている。トレイ４は、左右方向に延びる回動軸１４８を中心に、筐体２に対して閉じた閉位置と筐体２に対して開いた開位置との間で回動可能に設けられている。開位置に位置するトレイ４を利用して、カードＣＡがカード導入口１２１に挿入される。そのカードＣＡが壁部１４１に沿って前後方向に移動されることにより、カードＣＡがカード導入口１２１に挿入される。カードが壁部１４１に沿って移動されるので、カードＣＡがカード導入口１２１からずれたり、カードの姿勢が前後方向に対して斜めになったりすることを抑制できる。その結果、カードＣＡをカード導入口１２１に良好に挿入することができる。【選択図】図２Ａ
2014072668.tif 000002
【特許請求の範囲】
【請求項１】
第１媒体が導入されるように構成される第１導入口と、前記第１媒体が排出されるように構成される第１排出口と、第１方向の一方側に位置する前記第１導入口から前記第１方向の他方側に位置する前記第１排出口へ前記第１媒体が搬送されるように構成される第１搬送路と、前記第１方向の前記他方側に位置し、前記第１排出口の少なくとも一部と重複し、前記第１媒体よりも幅狭の第２媒体が導入されるように構成される第２導入口と、が形成された筐体と、
前記第１方向と直交する第２方向において前記第２導入口と同じ側に配置され、前記第２方向に延びる回動軸を中心に、前記筐体に対して閉じた閉位置と前記筐体に対して開いた開位置との間で回動可能に前記筐体に設けられたトレイと、
前記第１搬送路を搬送される前記第１媒体および前記第２導入口に導入される前記第２媒体の画像を読み取るように構成される読取部と、を備え、
前記トレイは、前記トレイが前記開位置に位置するときに、前記第１方向および前記第２方向に延びる載置面と、前記載置面から前記第１方向及び前記第２方向に直交する第３方向に突出し、前記第１方向に延びる壁部とを備える画像読取装置。
【請求項２】
前記壁部は、前記第２方向に間隔を空けて設けられ、それぞれ前記載置面から前記第３方向に突出し、前記第１方向に延びる一対の壁を備える請求項１に記載の画像読取装置。
【請求項３】
前記１対の壁の間隔は、前記第２媒体の短辺の幅よりも大きく、前記第２媒体の長辺の幅よりも小さい、請求項２に記載の画像読取装置。
【請求項４】
前記トレイは、前記閉位置に位置するときに、前記第１排出口を前記第２方向にわたって開放する、請求項１〜３のいずれか一項に記載の画像読取装置。
【請求項５】
前記壁部は、前記トレイが前記開位置に位置するときに、前記第１排出口を前記第３方向に横切る、請求項１〜４のいずれか一項に記載の画像読取装置。
【請求項６】
前記回動軸は、前記第２導入口の上方に配置されている、請求項１〜５のいずれか一項に記載の画像読取装置。
【請求項７】
前記第２導入口から導入された前記第２媒体が搬送されるように構成される第２搬送路と、
前記第１搬送路に設けられ、前記第１媒体を搬送するように構成される第１搬送部材と、
前記第２搬送路に設けられ、前記第２媒体を搬送するように構成される第２搬送部材と、
前記トレイが前記開位置に位置しているか否かを検出するように構成されるセンサと、
前記センサの検知結果に基づいて、前記第２搬送部材の駆動を制御するように構成される搬送制御部とを備える、請求項１〜６のいずれか一項に記載の画像読取装置。
【請求項８】
前記筐体の前記排出側の面には、前記トレイの回動に伴って前記壁部の一部が進入可能なスリットが設けられており、
前記センサは、前記スリットに前記壁部が進入しているか否かを検出するように構成される、請求項７に記載の画像読取装置。
【請求項９】
前記壁部は、前記第２方向に間隔を空けて設けられ、それぞれ前記載置面から前記第３方向に突出し、前記第１方向に延びる一対の壁を備え、
前記１対の壁のうち一方は、他方よりも載置面に対して大きく突出しており、
前記トレイが前記閉位置に位置するときに、前記一方の前記壁が前記スリットに進入する、請求項８に記載の画像読取装置。
【請求項１０】
第１媒体が導入されるように構成される第１導入口と、前記第１媒体が排出されるように構成される第１排出口と、第１方向の一方側に位置する前記第１導入口から前記第１方向の他方側に位置する前記第１排出口へ第１媒体が搬送されるように構成される第１搬送路と、前記第１方向の前記他方側に位置し、前記第１排出口の少なくとも一部と重複し、前記第１媒体よりも幅狭の第２媒体が導入されるように構成される第２導入口と、が形成された筐体と、
前記第１方向と直交する第２方向において前記第２導入口と同じ側に配置され、前記第２方向に延びる回動軸を中心に、前記筐体に対して閉じた閉位置と前記筐体に対して開いた開位置との間で回動可能に前記筐体に設けられたトレイと、
前記トレイは、前記トレイが前記開位置に位置するときに、前記第１方向および前記第２方向に延びる載置面と、前記載置面から前記第１方向及び前記第２方向に直交する第３方向に突出し、前記第１方向に延びる壁部とを備える搬送装置。
【発明の詳細な説明】
【技術分野】
【０００１】
本発明は、画像読取装置および搬送装置に関する。
【背景技術】
【０００２】
特許文献１に開示されている画像読取装置の筐体の背面側には、シートを導入するための導入口が形成されている。一方、筐体の前面側には、シートを排出するための排出口が形成されている。そして、筐体の内部には、導入口から排出口に至る搬送路が形成されている。画像読取装置は、画像読取ユニットと搬送ローラ対とを備える。
【０００３】
導入口から導入されるシートは、搬送ローラ対により、搬送路を排出口に向けて搬送される。この搬送の途中で、画像読取ユニットにより、シートの画像が読み取られる。
【０００４】
また、特許文献１に開示されている画像読取装置は、シートよりも幅狭なカードに描かれている画像を読取可能に構成されている。具体的には、排出口の一部は、カードを導入するカード導入口およびカードを排出するカード排出口を兼ねている。また、搬送ローラ対を一方向および他方向の両方向に回転駆動するための機構が設けられている。
【０００５】
カード導入口にカードが挿入されると、搬送ローラ対がシートの搬送時とは逆方向に回転駆動されて、搬送ローラ対により、カードがカード導入口内に引き込まれる。そして、カードが画像読取ユニットを通過すると、搬送ローラ対の回転方向が反転されて、搬送ローラ対がシートの搬送時と同方向に回転駆動される。これにより、カードの搬送方向が反転され、カードがカード排出口に向けて搬送される。この搬送の途中で、画像読取ユニットにより、カードの画像が読み取られる。
【先行技術文献】
【特許文献】
【０００６】
【特許文献１】特開２０１２−１００１１５号公報
【発明の概要】
【発明が解決しようとする課題】
【０００７】
ところが、シートを排出する排出口の一部がカード導入口を兼ねているので、カードがカード導入口からずれて挿入されたり、カードがカード導入口に斜めに挿入されたりするおそれがある。この状態でカードが搬送されると、カードの斜行が発生する可能性があり、カードが斜行した場合、カードが搬送の途中で搬送路に詰まるおそれなどがある。
【０００８】
本発明の目的は、第１媒体よりも幅狭の第２媒体を第２導入口に良好に挿入できる、画像読取装置および搬送装置を提供することである。
【課題を解決するための手段】
【０００９】
前記の目的を達成するため、本発明の一の局面に係る画像読取装置は、第１媒体が導入されるように構成される第１導入口と、前記第１媒体が排出されるように構成される第１排出口と、第１方向の一方側に位置する前記第１導入口から前記第１方向の他方側に位置する前記第１排出口へ前記第１媒体が搬送されるように構成される第１搬送路と、前記第１方向の前記他方側に位置し、前記第１排出口の少なくとも一部と重複し、前記第１媒体よりも幅狭の第２媒体が導入されるように構成される第２導入口と、が形成された筐体と、前記第１方向と直交する第２方向において前記第２導入口と同じ側に配置され、前記第２方向に延びる回動軸を中心に、前記筐体に対して閉じた閉位置と前記筐体に対して開いた開位置との間で回動可能に前記筐体に設けられたトレイと、前記第１搬送路を搬送される前記第１媒体および前記第２導入口に導入される前記第２媒体の画像を読み取るように構成される読取部と、を備え、前記トレイは、前記トレイが前記開位置に位置するときに、前記第１方向および前記第２方向に延びる載置面と、前記載置面から前記第１方向及び前記第２方向に直交する第３方向に突出し、前記第１方向に延びる壁部とを備える。
【００１０】
開位置に位置するトレイを利用して、第２媒体が第２導入口に挿入される。すなわち、第２媒体が開位置に位置するトレイの載置面上に載置されて、その第２媒体が載置面上で壁部に沿って第１方向に移動されることにより、第２媒体が第２導入口に挿入される。第２媒体が壁部に沿って移動されるので、第２媒体が第２導入口からずれたり、第２媒体の姿勢が第１方向に対して斜めになったりすることを抑制できる。その結果、第２媒体を第２導入口に良好に挿入することができる。
【００１１】
壁部は、第２方向に間隔を空けて設けられ、それぞれ載置面から第３方向に突出し、第１方向に延びる一対の壁を備えていてもよい。
【００１２】
一対の壁の間に第２媒体を配置することにより、第２媒体を第２方向に位置決めすることができる。その結果、第２媒体を第２導入口に一層良好に挿入することができる。
【００１３】
１対の壁の間隔は、第２媒体の短辺の幅よりも大きく、第２媒体の長辺の幅よりも小さくてもよい。
【００１４】
これにより、第２媒体がその短辺を第２方向に沿わせた向きで第２導入口に挿入される。その結果、第２媒体がその長辺を第２方向に沿わせた向きで第２導入口に挿入されることを抑制できる。
【００１５】
トレイは、閉位置に位置するときに、第１排出口を第２方向にわたって開放することが好ましい。
【００１６】
これにより、トレイが閉位置に位置している状態で、トレイが第１排出口からの第１媒体の妨げになることを抑制できる。よって、第１媒体を第１排出口から良好に排出することができる。
【００１７】
壁部は、トレイが開位置に位置するときに、第１排出口を第３方向に横切っていてもよい。
【００１８】
これにより、トレイが開位置に位置している状態で、第１排出口からの第１媒体の排出を抑制できる。したがって、トレイが閉位置に位置している状態では、第２媒体の画像の読取が行われ、トレイが開位置に位置している状態では、第１媒体の画像の読取が行われることをユーザに容易に認識させることが出来る。
【００１９】
回動軸は、第２導入口の上方に配置されていてもよい。
【００２０】
これにより、第１排出口から第１媒体が排出されるときに、第１媒体がトレイに衝突することを抑制できる。すなわち、第１排出口から第１媒体が排出されるときに、第１媒体における第１排出口から脱け出した部分は、その重力によって下方に垂れ下がる。回動軸が第２導入口の上方に配置された構成では、閉位置に位置するトレイが第２導入口の上方に配置される。よって、第１媒体における第１排出口から脱け出した部分が閉位置に位置するトレイに衝突することを抑制できる。
【００２１】
第２導入口から導入された第２媒体が搬送されるように構成される第２搬送路と、第１搬送路に設けられ、第１媒体を搬送するように構成される第１搬送部材と、第２搬送路に設けられ、第２媒体を搬送するように構成される第２搬送部材と、トレイが開位置に位置しているか否かを検出するように構成されるセンサと、センサの検知結果に基づいて、第２搬送部材の駆動を制御するように構成される搬送制御部とを備えていてもよい。
【００２２】
この構成によれば、トレイの開閉に基づいて、第２媒体の搬送が制御される。よって、ユーザに画像読取装置の使用方法を容易に認識させることが出来得る。
【００２３】
筐体の排出側の面には、トレイの回動に伴って壁部の一部が進入可能なスリットが設けられており、センサは、スリットに壁部が進入しているか否かを検出するように構成されていてもよい。
【００２４】
これにより、トレイが開位置に位置しているか否かを検出することができる。
【００２５】
壁部は、第２方向に間隔を空けて設けられ、それぞれ載置面から第３方向に突出し、第１方向に延びる一対の壁を備え、１対の壁のうち一方は、他方よりも載置面に対して大きく突出しており、トレイが閉位置に位置するときに、一方の壁がスリットに進入してもよい。
【００２６】
また、本発明の他の局面に係る搬送装置は、第１媒体が導入されるように構成される第１導入口と、前記第１媒体が排出されるように構成される第１排出口と、第１方向の一方側に位置する前記第１導入口から前記第１方向の他方側に位置する前記第１排出口へ第１媒体が搬送されるように構成される第１搬送路と、前記第１方向の前記他方側に位置し、前記第１排出口の少なくとも一部と重複し、前記第１媒体よりも幅狭の第２媒体が導入されるように構成される第２導入口と、が形成された筐体と、前記第１方向と直交する第２方向において前記第２導入口と同じ側に配置され、前記第２方向に延びる回動軸を中心に、前記筐体に対して閉じた閉位置と前記筐体に対して開いた開位置との間で回動可能に前記筐体に設けられたトレイと、前記トレイは、前記トレイが前記開位置に位置するときに、前記第１方向および前記第２方向に延びる載置面と、前記載置面から前記第１方向及び前記第２方向に直交する第３方向に突出し、前記第１方向に延びる壁部とを備える。
【００２７】
開位置に位置するトレイを利用して、第２媒体が第２導入口に挿入される。すなわち、第２媒体が開位置に位置するトレイの載置面上に載置されて、その第２媒体が載置面上で壁部に沿って第１方向に移動されることにより、第２媒体が第２導入口に挿入される。第２媒体が壁部に沿って移動されるので、第２媒体が第２導入口からずれたり、第２媒体の姿勢が第１方向に対して斜めになったりすることを抑制できる。その結果、第２媒体を第２導入口に良好に挿入することができる。
【発明の効果】
【００２８】
本発明によれば、第２媒体が第２導入口に挿入されるときに、第２媒体が第２導入口からずれたり、第２媒体の姿勢が第１方向に対して斜めになったりすることを抑制できる。その結果、第２媒体を第２導入口に良好に挿入することができる。
【図面の簡単な説明】
【００２９】
【図１Ａ】図１Ａは、本発明の一実施形態に係る画像読取装置１の左前上方から見た斜視図であり、カバー３が閉じられた状態を示す。
【図１Ｂ】図１Ｂは、画像読取装置１の右後上方から見た斜視図であり、カバー３が閉じられた状態を示す。
【図２Ａ】図２Ａは、画像読取装置１の右前上方から見た斜視図であり、カバー３が開かれ、トレイ４が閉位置に位置する状態を示す。
【図２Ｂ】図２Ｂは、画像読取装置１のトレイ４の近傍を右前上方から見た斜視図であり、カバー３が開かれ、トレイ４が開位置に位置する状態を示す。
【図３】図３は、画像読取装置１の平面図であり、カバーが開かれるとともに、上部筐体１４がメンテナンス位置に配置された状態を示す。
【図４】図４は、画像読取装置１の断面図である。
【図５】図５は、トレイ４の斜視図である。
【図６Ａ】図６Ａは、画像読取装置１の断面図であり、トレイ４が閉位置に位置する状態を示す。
【図６Ｂ】図６Ｂは、画像読取装置１の断面図であり、トレイ４が開位置に位置する状態を示す。
【図７】図７は、画像読取装置１の電気的構成の要部を示すブロック図である。
【図８】図８は、駆動伝達制御の流れを示すフローチャートである。
【図９Ａ】図９Ａは、他の画像読取装置１の断面図であり、トレイ４が閉位置に位置する状態を示す。
【図９Ｂ】図９Ｂは、他の画像読取装置１の断面図であり、トレイ４が開位置に位置する状態を示す。
【図１０】図１０は、他のトレイ４の斜視図である。
【図１１】図１１は、他の画像読取装置１の右前上方から見た斜視図であり、カバー３が開かれた状態を示す。
【図１２Ａ】図１２Ａは、さらに他の画像読取装置１の断面図であり、トレイ４が閉位置に位置する状態を示す。
【図１２Ｂ】図１２Ｂは、さらに他の画像読取装置１の断面図であり、トレイ４が開位置に位置する状態を示す。
【発明を実施するための形態】
【００３０】
以下では、本発明の実施の形態について、添付図面を参照しつつ詳細に説明する。画像読取装置１は、本発明の画像読取装置および搬送装置の具体的態様の一例である。図１Ａでは、前カバー２２側を装置の前側と規定し、前カバー２２に対向した場合に左手に来る側を左側と規定して、前後、左右および上下の各方向を表示する。そして、図１Ｂ以降に示す各方向は、全て図１Ａに示す各方向に対応させて表示する。以下、図１Ａ等に基づいて、画像読取装置１が備える各構成要素について説明する。
【００３１】
＜外観＞
【００３２】
画像読取装置１は、筐体２およびカバー３を備えている。
【００３３】
＜筐体＞
【００３４】
筐体２は、左側板部１１、右側板部１２、下部筐体１３および上部筐体１４を備えている。
【００３５】
左側板部１１および右側板部１２は、左右方向に間隔を空けて配置されている。
【００３６】
下部筐体１３および上部筐体１４は、左側板部１１と右側板部１２との間に配置されている。
【００３７】
下部筐体１３は、左側板部１１および右側板部１２に対して固定されている。
【００３８】
上部筐体１４の左前下端部および右前下端部には、非図示の軸部がそれぞれ左側および右側に突出して形成されている。そして、左右の軸部がそれぞれ左側板部１１および右側板部１２に回動可能に支持されることにより、上部筐体１４は、図２Ａに示される通常位置と図３に示されるメンテナンス位置との間で回動可能に設けられている。
【００３９】
上部筐体１４は、図２Ａに示されるように、通常位置で、下部筐体１３に上方から重なる。通常位置に位置する上部筐体１４の上面１４Ｕは、左側板部１１および右側板部１２の各上面１１Ｕ，１２Ｕよりも一段低い位置に位置する。また、通常位置に位置する上部筐体１４の前面１４Ｆは、左側板部１１および右側板部１２の各前面１１Ｆ，１２Ｆよりも後側に一段凹んだ位置に位置する。
【００４０】
また、上部筐体１４は、メンテナンス位置で、下部筐体１３に対して前側に展開して、下部筐体１３の前端部上から前上方に延びる。
【００４１】
＜カバー＞
【００４２】
カバー３は、上カバー２１および前カバー２２を備えている。
【００４３】
上カバー２１の基端部は、筐体２の左側板部１１および右側板部１２の後上端部に回動可能に支持されている。これにより、上カバー２１は、図１Ａ、図１Ｂおよび図２Ｂに示される閉位置と図２Ａに示される開位置との間で回動可能に設けられている。
【００４４】
上カバー２１は、閉位置で、下部筐体１３および上部筐体１４に上方から重なる。
【００４５】
また、上カバー２１は、開位置で、筐体２の後上端部から後上方に延びる。
【００４６】
前カバー２２は、図１Ａに示される屈曲位置と図２Ａに示される伸張位置との間で回動可能に設けられている。
【００４７】
また、前カバー２２は、伸張位置で、上カバー２１と略同一平面上を延びる。上カバー２１が開位置に位置し、前カバー２２が伸張位置に位置する状態で、上カバー２１および前カバー２２は、図２Ａに示されるように、筐体２の後上端部から後上方に延び、筐体２内に送り込まれる第１媒体の一例としてのシートＳＨが載置されるトレイをなす。シートＳＨは、例えば、用紙やＯＨＰシート等である。
【００４８】
下部筐体１３の後端縁３１は、下部筐体１３の前端縁３２よりも高い位置に位置している。下部筐体１３は、図３および図４に示されるように、傾斜部３３と平坦部３４とを有している。傾斜部３３は、後端縁３１から前端縁３２と同じ高さの位置まで前下方に延びる。平坦部３４は、前端縁３２と同じ高さの位置で、傾斜部３３から前端縁３２まで延びる。
【００４９】
上部筐体１４の下面１４Ｂの後端縁７１は、図２Ａに示されるように、下部筐体１３の傾斜部３３の上方に間隔を空けて位置する。下面１４Ｂの前端縁７２は、下部筐体１３の上面１３Ｕの前端縁３２の上方に間隔を空けて位置する。上部筐体１４は、図３および図４に示されるように、傾斜部７３と、平坦部７４とを有している。傾斜部７３は、後端縁７１から前端縁７２と同じ高さの位置まで、傾斜部３３と平行をなして前下方に延びる。平坦部３４は、前端縁７２と同じ高さの位置で、傾斜部７３から前端縁７２まで下部筐体１３の平坦部３４と平行をなして延びる。
【００５０】
シート導入口２０１とシート排出口２０２とシート搬送路２０３とが、上部筐体１４と下部筐体１３との間に形成されている。シート導入口２０１は、第１導入口の一例である。シート排出口２０２は、第１排出口の一例である。シート搬送路２０３は、第１搬送路の一例である。シート導入口２０１は、上部筐体１４の後端縁７１と下部筐体１３の傾斜部３３との間に形成され、後上方に開放されている。シート排出口２０２は、上部筐体１４の前端縁７２と下部筐体１３の前端縁３２との間に形成され、前方に開放されている。シート搬送路２０３は、シート導入口２０１とシート排出口２０２とを連結している。シート搬送路２０３は、上部筐体１４の傾斜部７３と下部筐体１３の傾斜部３３との間の空間、および上部筐体１４の平坦部７４と下部筐体１３の平坦部３４との間の空間である。
【００５１】
シート導入口２０１から導入されたシートＳＨは、筐体２内のシート搬送路２０３を通過して、シート排出口２０２から排出される。以下、このシートＳＨの流れに沿って、画像読取装置１が備える各構成の説明を行う。
【００５２】
画像読取装置１は、供給ローラ４１、分離片８１、ＬＦローラ４２、ＬＦピンチローラ８２、カードＬＦローラ４３、カードＬＦピンチローラ８３、排出ローラ４４、排出ピンチローラ８４、カード排出ローラ４５およびカード排出ピンチローラ８５を備えている。
【００５３】
供給ローラ４１は、図３に示されるように、２つのローラを備える。供給ローラ４１の２つのローラは回転軸５１に取り付けられている。供給ローラ４１は、傾斜部３３の左右方向の中央部に、配置されている。回転軸５１は、下部筐体１３の内部で左右方向に延び、下部筐体１３に回転可能に保持されている。
【００５４】
分離片８１は、たとえば、ゴムからなる。分離片８１の基端部は、上部筐体１４に取り付けられている。分離片８１は、供給ローラ４１の周面に弾性的に当接している。分離片８１と供給ローラ４１とにより、複数枚のシートＳＨが一枚に分離されて、搬送され得る。シートＳＨは、前方に向けて搬送される。したがって、本実施形態において、前方がシート搬送方向における下流側であり、後方がシート搬送方向における上流側である。
【００５５】
ＬＦローラ４２およびＬＦピンチローラ８２は、供給ローラ４１および分離片８１のシート搬送方向下流側に位置する。ＬＦローラ４２は、２つのローラを備える。ＬＦローラ４２の２つのローラは回転軸５３に取り付けられている。ＬＦピンチローラ８２は、２つのピンチローラを備える。ＬＦピンチローラ８２の２つのピンチローラは、回転軸９１に取り付けられている。ＬＦピンチローラ８２の周面は、図４に示されるように、ＬＦローラ４２の周面に上方から当接している。ＬＦローラ４２が回転駆動されると、ＬＦピンチローラ８２がＬＦローラ４２に従動して回転される。
【００５６】
カードＬＦローラ４３は、ＬＦローラ４２の右側に間隔を空けた位置に配置されている。カードＬＦローラ４３は、ＬＦローラ４２と共通の回転軸５３に取り付けられている。カードＬＦピンチローラ８３は、ＬＦピンチローラ８２の右側に間隔を空けた位置に配置されている。カードＬＦピンチローラ８３は、図３に示されるように、２つのピンチローラを備える。カードＬＦピンチローラ８３の２つのピンチローラは、回転軸９１に取り付けられている。カードＬＦピンチローラ８３の２つのピンチローラの周面は、図４に示されるように、それぞれ下部筐体１３のカードＬＦローラ４３の周面の左側および右側に微小な間隔を空けて隣接する。
【００５７】
また、画像読取装置１は、図４に示されるように、ＬＦローラ４２およびＬＦピンチローラ８２のシート搬送方向下流側において、第１読取部１００および第２読取部６０を備える。第１読取部１００は、Contact Image Sensor(以後、「ＣＩＳ」と記す）ホルダ１０１、ＣＩＳユニット１０２およびコンタクトガラス１０３を備えている。第２読取部６０は、ＣＩＳホルダ６１、ＣＩＳユニット６２、およびコンタクトガラス６３を備える。
【００５８】
読取部の一例としてのＣＩＳユニット６２は、ＣＩＳホルダ６１内に収容されている。ＣＩＳユニット６２の内部には、たとえば、ＬＥＤ光源、レンズおよびイメージセンサが設けられている。読取部の一例としてのＣＩＳユニット１０２は、ＣＩＳホルダ１０１内に収容されている。ＣＩＳユニット１０２の内部には、たとえば、ＬＥＤ光源、レンズおよびイメージセンサが設けられている。
【００５９】
コンタクトガラス６３は、無色透明のガラスからなる。コンタクトガラス６３は、ＣＩＳホルダ６１の上面を閉塞するように設けられて、ＣＩＳホルダ６１に保持されている。コンタクトガラス１０３は、無色透明のガラスからなる。コンタクトガラス１０３は、ＣＩＳホルダ１０１の下面を閉塞するように設けられて、ＣＩＳホルダ１０１に保持されている。
【００６０】
ＣＩＳホルダ６１は、ＣＩＳユニット６２およびコンタクトガラス６３を保持した状態で、下部筐体１３の平坦部３４に形成された開口６４に嵌められている。ＣＩＳホルダ１０１は、ＣＩＳユニット１０２およびコンタクトガラス１０３を保持した状態で、上部筐体１４の平坦部７４に形成された開口１０４に嵌められている。
【００６１】
ＬＦローラ４２およびＬＦピンチローラ８２により搬送されるシートＳＨの両面の画像は、第１読取部１００および第２読取部６０により読み取られる。
【００６２】
排出ローラ４４および排出ピンチローラ８４は、ＣＩＳユニット１０２およびＣＩＳユニット６２のシート搬送方向下流側に位置する。排出ローラ４４は、２つのローラを備える。排出ローラ４４の２つのピンチローラは、回転軸５６に取り付けられている。排出ピンチローラ８４は、２つのピンチローラを備える。排出ピンチローラ８４の２つのピンチローラは、回転軸９４に取り付けられている。排出ピンチローラ８４の周面は、図４に示されるように、排出ローラ４４の周面に上方から当接している。排出ローラ４４が回転駆動されると、排出ピンチローラ８４が排出ローラ４４に従動して回転される。
【００６３】
カード排出ローラ４５およびカード排出ピンチローラ８５は、ＣＩＳユニット１０２およびＣＩＳユニット６２のシート搬送方向下流側に位置する。カード排出ローラ４５は、２つのローラを備える。カード排出ローラ４５の２つのローラは、回転軸５６に取り付けられている。カード排出ピンチローラ８５は、２つのピンチローラを備える。カード排出ピンチローラ８５の２つのピンチローラは、回転軸９４に取り付けられている。カード排出ピンチローラ８５の周面は、図４に示されるように、カード排出ローラ４５の周面に上方から当接している。カード排出ローラ４５が回転駆動されると、カード排出ピンチローラ８５は、カード排出ローラ４５に従動して回転される。
【００６４】
画像読取装置１では、シートＳＨよりも幅狭の第２媒体の一例としてのカードＣＡに描かれている画像を読み取ることができる。カードＣＡは、用紙等よりも幅狭で肉厚な媒体である。カードＣＡは、例えば、名刺、キャッシュカード、会員証又は免許証等である。
【００６５】
カードＣＡの画像の読み取りのために、図２Ａに示されるように、第２導入口の一例としてのカード導入口１２１がシート排出口２０２におけるカード排出ローラ４５およびカード排出ピンチローラ８５と前後方向に重なる部分に形成されている。本実施形態において、カード導入口１２１の下側の一部が、図２Ａに示すように、シート排出口２０２の右側の一部と重複している。すなわち、シートＳＨおよびカードＣＡの両方が、この重複部分を通過可能である。カード導入口１２１は、下部筐体１３の上面１３Ｕおよび上部筐体１４の下面１４Ｂの各前端部がそれぞれ上方および下方に矩形状に切り欠かれることにより、上下方向にシート排出口２０２よりも少し大きな幅を有している。また、カード導入口１２１の左右方向の幅は、国際標準化機構（ＩＳＯ）／国際電気標準会議（ＩＥＣ）による国際規格ＩＤ−１のカードサイズの短辺の長さ（５３．９８ｍｍ）よりも大きく、その長辺の長さ（８５．６０ｍｍ）よりも小さい。
【００６６】
＜トレイ＞
【００６７】
画像読取装置１は、図２Ａおよび図４に示されるように、トレイ４を備えている。
【００６８】
トレイ４は、左右方向においてカード導入口１２１と同じ側、即ち右側に配置されている。トレイ４は、左右方向に延びる回動軸１４８を中心に、筐体２に対して閉じた閉位置と筐体２に対して開いた開位置との間で回動可能に設けられている。トレイ４は、閉位置において、カード導入口１２１の上方に位置する。
【００６９】
トレイ４は、図５に示されるように、載置部１３１および壁部１４１を備えている。なお、図５に示す方向は、トレイ４が開位置に位置するときの画像読取装置１の方向を示している。また、図５において、トレイ４が開位置に位置するときのカード導入口１２１の位置を仮想線で示している。
【００７０】
トレイ４が開位置に位置するときに、図６Ｂに示されるように、載置部１３１の上面１３１Ｕは、前後方向および左右方向に延びる載置面をなす。すなわち、トレイ４は、トレイ４が開位置に位置するときに、第１方向の一例としての前後方向および第２方向の一例としての左右方向に延びる載置面１３１Ｕを備えている。
【００７１】
壁部１４１は、図５に示されるように、第１壁１４１Ｌおよび第２壁１４１Ｒを備えている。トレイ４が開位置に位置するときに、載置面１３１Ｕの左端縁および右端縁は、前後方向に延びる直線をなす。また、トレイ４が開位置に位置するときに、第１壁１４１Ｌは、載置面１３１Ｕの左端縁から上方に突出し、前後方向に延びる。トレイ４が開位置に位置するときに、第２壁１４１Ｒは、載置面１３１Ｕの右端縁から上方に突出し、前後方向に延びる。これにより、第１壁１４１Ｌおよび第２壁１４１Ｒは、左右方向に間隔を空けて設けられ、互いに平行をなして前後方向に延びる。
【００７２】
すなわち、トレイ４は、トレイ４が開位置に位置するときに、載置面１３１Ｕから上方に突出し、第１方向の一例としての前後方向に延びる壁部１４１を備える。壁部１４１は、第２方向の一例としての左右方向に間隔を空けて設けられ、それぞれ載置面１３１Ｕから上方に突出し、第１方向の一例としての前後方向に延びる一対の壁の一例としての第１壁１４１Ｌおよび第２壁１４１Ｒを備える。
【００７３】
第１壁１４１Ｌと第２壁１４１Ｒとの間隔は、国際規格ＩＤ−１のカードサイズの短辺（５３．９８ｍｍ）の長さよりも大きく、そのカードサイズの長辺の長さ（８５．６０ｍｍ）よりも小さい。
【００７４】
また、トレイ４は、第１支持板部１４３および第２支持板部１４４を備えている。
【００７５】
第１支持板部１４３は、トレイ４が開位置に位置するときに、第１壁１４１Ｌの後端部から上方に突出する。第１支持板部１４３は、第１壁１４１Ｌと左右方向において同じ厚さを有している。
【００７６】
第２支持板部１４４は、トレイ４が開位置に位置するときに、第２壁１４１Ｒの後端部から上方に突出する。第２支持板部１４４は、第２壁１４１Ｒと左右方向において同じ厚さを有している。第２壁１４１Ｒに対する第２支持板部１４４の上下方向における突出量は、第１壁１４１Ｌに対する第１支持板部１４３の上下方向における突出量よりも大きい。
【００７７】
回動軸１４８は、左右一対設けられている。左側の回動軸１４８は、第１支持板部１４３から左方に突出して設けられている。右側の回動軸１４８は、第２支持板部１４４から右方に突出して設けられている。一対の回動軸１４８は、左右方向に重なる部分に設けられて、その軸線が一致している。
【００７８】
上部筐体１４は、一対の軸受部１５１を備えている。一対の軸受部１５１は、上部筐体１４の前面１４Ｆの右前端部に、互いに左右方向に第１支持板部１４３および第２支持板部１４４の間隔よりも大きい間隔を空けて設けられている。左側の軸受部１５１は、左側のカード排出ピンチローラ８５の左側に配置されている。右側の軸受部１５１は、右側のカード排出ピンチローラ８５の右側に配置されている。各軸受部１５１の中央部には、回動軸１４８の外径よりも少し大きい直径の軸受孔１５２が形成されている。
【００７９】
一対の回動軸１４８は、一対の軸受部１５１の軸受孔１５２に左右方向の内側から挿通されている。各回動軸１４８は、軸受孔１５２に遊びを有する状態で挿通されている。これにより、各回動軸１４８は、カード導入口１２１の上方に配置され、軸受部１５１に回転可能に支持されている。
【００８０】
また、スリット１６１が上部筐体１４における右側の軸受部１５１の左側に隣接する部分に形成されている。スリット１６１は、上部筐体１４の下端から上方に直線状に延びている。
【００８１】
トレイ４が閉位置に位置する状態では、図６Ａに示されるように、トレイ４がカード導入口１２１の上方に配置される。これにより、トレイ４は、シート排出口２０２を左右方向の全幅にわたって開放する。トレイ４が閉位置に位置する状態で、載置面１３１Ｕは、上下方向に延び、上部筐体１４の前面１４Ｆと微小な間隔を空けて平行をなす。また、トレイ４が閉位置に位置する状態で、第２支持板部１４４は、スリット１６１に入り込む。
【００８２】
上カバー２１が閉位置に位置し、前カバー２２が屈曲位置に位置する状態で、前カバー２２とトレイ４との接触を避けるため、図３に示されるように、開口部１７０が前カバー２２に形成されている。
【００８３】
＜シート画像の読み取り＞
【００８４】
画像読取装置１におけるシートＳＨの画像の読み取りの際には、図２Ａおよび図４に示されるように、上カバー２１が開位置に配置されるとともに、前カバー２２が伸張位置に配置される。そして、開位置の上カバー２１および伸張位置の前カバー２２がなすトレイ上に、シートＳＨが載置される。また、トレイ４は、閉位置に位置される。上カバー２１が開位置に変位されたことが、非図示のセンサにより検知される。上カバー２１が開位置に変位されると、シートＳＨを搬送可能なシート読取モードとなる。シート読取モードとなり、非図示の読取ボタン等がユーザに押されると、供給ローラ４１等が右側から見て反時計回りに回転され、シートＳＨの画像の読取が実行される。
【００８５】
トレイ上に載置されるシートＳＨは、その先端部が供給ローラ４１および分離片８１に当接するまで、シート導入口２０１内に差し込まれる。
【００８６】
その後、供給ローラ４１が右側から見て反時計回りに回転される。この供給ローラ４１の回転により、供給ローラ４１の周面からシートＳＨの下面に搬送力が付与され、シートＳＨがＬＦローラ４２およびＬＦピンチローラ８２に向けて搬送される。シートＳＨの先端部が供給ローラ４１と分離片８１との間に挟まれたときに、シートＳＨが１枚ずつに分離され、１枚のシートＳＨのみが供給ローラ４１と分離片８１との間を通過する。
【００８７】
ＬＦローラ４２およびカードＬＦローラ４３は、右側から見て反時計回りに回転される。ＬＦピンチローラ８２およびカードＬＦピンチローラ８３は、右側から見て時計回りに回転する。供給ローラ４１と分離片８１との間を通過したシートＳＨの先端部がＬＦローラ４２およびカードＬＦローラ４３の周面の当接部分に到達すると、ＬＦローラ４２およびカードＬＦローラ４３により、シートＳＨに搬送力が付与される。
【００８８】
ＬＦローラ４２，ＬＦピンチローラ８２およびカードＬＦローラ４３、カードＬＦピンチローラ８３間を通過したシートＳＨは、コンタクトガラス６３，１０３上を通過する。このとき、コンタクトガラス６３，１０３上のシートＳＨにそれぞれＣＩＳユニット６２，１０２のＬＥＤ光源から光が照射される。そして、シートＳＨでの反射光がＣＩＳユニット６２，１０２のイメージセンサに受けられることにより、シートＳＨの両面に描かれている画像の読み取りが達成される。
【００８９】
排出ローラ４４およびカード排出ローラ４５は、右側から見て反時計回りに回転される。排出ピンチローラ８４およびカード排出ピンチローラ８５は、右側から見て時計回りに回転する。コンタクトガラス６３，１０３上を通過したシートＳＨの先端部が排出ローラ４４およびカード排出ローラ４５に到達すると、排出ローラ４４およびカード排出ローラ４５からシートＳＨに搬送力が付与される。
【００９０】
排出ローラ４４、排出ピンチローラ８４およびカード排出ローラ４５，カード排出ピンチローラ８５間を搬送されるシートＳＨは、シート排出口２０２を通過して、筐体２外に排出される。
【００９１】
＜トレイの使用＞
【００９２】
トレイ４が閉位置に位置する状態で、載置部１３１の先端が下方に押されると、トレイ４は、回動軸１４８を支点に回動する。この回動により、トレイ４は、閉位置から図２Ｂに示すように開位置に移動する。トレイ４が開位置に位置するとき、壁部１４１は、シート排出口２０２を上下方向に横切る。
【００９３】
トレイ４が開位置に配置された後、使用者の手指でカードＣＡの長手方向の一端部が摘まれて、カードＣＡの長手方向の他端部がトレイ４の第１壁１４１Ｌと第２壁１４１Ｒとの間に上方から差し込まれる。その後、カードＣＡは、左端縁および右端縁が第１壁１４１Ｌおよび第２壁１４１Ｒにガイドされつつ、トレイ４の載置面１３１Ｕ上をカード導入口１２１に向けて移動される。
【００９４】
カードＣＡの他端部がカード導入口１２１内に挿入されて、その他端部がカード排出ローラ４５の周面とカード排出ピンチローラ８５の周面との間に当接すると、使用者の手指がカードＣＡから放される。
【００９５】
＜カード画像の読み取り＞
【００９６】
第２搬送路の一例としてのカード搬送路１２４が、下部筐体１３の上面１３Ｕの平坦部３４と上部筐体１４の下面１４Ｂの平坦部７４との間の空間および下部筐体１３における上面１３Ｕの傾斜部３３の下方の空間に形成されている。
【００９７】
図３および図４に示されるように、開口の一例としてのカード通過口１２２が下部筐体１３の傾斜部３３の前下端部と平坦部３４との間、に形成されている。カード通過口１２２は、共通パスＣＰと独立パスＩＰとを結ぶ。したがって、カード通過口１２２を通して、カードＣＡは、共通パスＣＰと独立パスＩＰとの間を行き来することができる。
【００９８】
カードＣＡの画像の読み取りの際には、カードＣＡの短辺を先頭として、即ちカードＣＡの短辺が左右方向に沿わされて、カードＣＡがカード導入口１２１内に挿入される。
【００９９】
トレイ４が開位置に変位されると、カード導入口１２１に導入されるカードＣＡが搬送され、カードＣＡの画像が読取可能なカード読取モードになる。トレイ４が開位置に変位されて、カード導入口１２１内にカードＣＡが挿入されると、カード排出ローラ４５が右側から見て時計回りに回転される。カード排出ピンチローラ８５は、カード排出ローラ４５の回転に伴って、右側から見て反時計回りに回転する。カード排出ローラ４５，カード排出ピンチローラ８５からカードＣＡに搬送力が付与され、そのカードＣＡがカード排出ローラ４５の周面とカード排出ピンチローラ８５の周面との間に引き込まれる。
【０１００】
その後、カードＣＡは、第１読取部１００と第２読取部６０との間を通過する。
【０１０１】
カードＬＦローラ４３は、カード排出ローラ４５の回転開始と同時に、右側から見て時計回りに回転される。カードＬＦピンチローラ８３は、カードＬＦローラ４３の回転に伴って、右側から見て反時計回りに回転する。第１読取部１００と第２読取部６０との間を通過したカードＣＡの先端部がカードＬＦローラ４３の周面とカードＬＦピンチローラ８３の周面との間に到達すると、カードＬＦローラ４３からカードＣＡに搬送力が付与され、そのカードＣＡがカードＬＦローラ４３の周面とカードＬＦピンチローラ８３の周面との間に引き込まれる。
【０１０２】
カードＣＡがカード通過口１２２を通過し、カードＣＡの先端部の反対側である後端部がカードＬＦローラ４３の周面とカードＬＦピンチローラ８３の周面との間に挟持される位置まで、カードＣＡの搬送が進むと、カードＬＦローラ４３およびカード排出ローラ４５の回転が停止される。カードＬＦローラ４３およびカード排出ローラ４５の回転が停止されると、カードＣＡは頭出し開口１２８からその先端部が頭出しされた状態で一時停止される。
【０１０３】
その後、カードＬＦローラ４３およびカード排出ローラ４５が右側から見て反時計回りに回転される。カードＬＦピンチローラ８３およびカード排出ピンチローラ８５は、右側から見て時計回りに回転する。これにより、カードＣＡは、その搬送方向反転され、後側から前側に向かう方向に搬送される。
【０１０４】
カードＣＡは、第１読取部１００および第２読取部６０の間を通過する。このとき、カードＣＡにそれぞれＣＩＳユニット６２，１０２のＬＥＤ光源から光が照射される。そして、カードＣＡでの反射光がＣＩＳユニット６２，１０２のイメージセンサに受けられることにより、カードＣＡの両面に描かれている画像が読み取られる。
【０１０５】
第１読取部１００および第２読取部６０の間を通過したカードＣＡの先端部がカード排出ローラ４５の周面とカード排出ピンチローラの８５の周面との当接部分に到達すると、カード排出ローラ４５からカードＣＡに搬送力が付与され、そのカードＣＡがカード排出ローラ４５の周面とカード排出ピンチローラ８５の周面との間に引き込まれる。そして、カード排出ローラ４５とカード排出ピンチローラ８５との間を搬送されるカードＣＡは、カード導入口１２１を通過して、トレイ４の第１壁１４１Ｌと第２壁１４１Ｒとの間または筐体２外に排出される。
【０１０６】
このように、カード導入口１２１から導入されたカードＣＡは、筐体２内をスイッチバック搬送され、カード導入口１２１から排出される。
【０１０７】
＜センサ＞
【０１０８】
画像読取装置１は、図４に示されるように、開位置センサ１６２を備えている。開位置センサ１６２は、たとえば、マイクロスイッチからなり、スリット１６１の左側に設けられている。開位置センサ１６２のアクチュエータ１６３は、右方に延び、スリット１６１内に突出している。アクチュエータ１６３が通常時の位置から変位すると、つまりアクチュエータ１６３が右方に延びる位置からその右端が後側に移動すると、開位置センサ１６２から出力される信号のレベルがローレベルからハイレベルに変化する。
【０１０９】
よって、開位置センサ１６２から出力される信号のレベルに基づいて、スリット１６１内におけるアクチュエータ１６３の位置での第２支持板部１４４の有無、つまりトレイ４が開位置にあるか否かを検知することができる。
【０１１０】
すなわち、筐体２の排出側の面には、トレイ４の回動に伴って壁部１４１の一部である第２壁１４１Ｒが進入可能なスリット１６１が設けられている。第２壁１４１Ｒは、第１壁１４１Ｌよりも載置面１３１Ｕに対して大きく突出している。開位置センサ１６２は、スリット１６１に壁部１４１が進入しているか否かを検出する。
【０１１１】
＜電気的構成＞
【０１１２】
画像読取装置１は、図７に示されるように、マイクロコンピュータを含む構成の制御部１７２を備えている。
【０１１３】
開位置センサ１６２から出力される信号は、制御部１７２に入力される。制御部１７２は、開位置センサ１６２の出力信号に基づいて、モータ１７１の駆動力を供給ローラ４１、ＬＦローラ４２、カードＬＦローラ４３、排出ローラ４４およびカード排出ローラ４５に伝達する駆動伝達機構１７３の動作を制御する。
【０１１４】
＜制御内容＞
【０１１５】
画像読取装置１の電源がオンされている間、制御部１７２により、図８に示される処理が繰り返される。
【０１１６】
図８に示される処理では、まず、トレイ４が開位置に位置しているか否かが判断される（ステップＳ１）。トレイ４が開位置に位置しているか否かは、開位置センサ１６２から出力されている信号のレベルによって判断される。すなわち、開位置センサ１６２から出力されている信号のレベルがローレベルであれば、トレイ４が開位置に位置していると判断される。一方、開位置センサ１６２から出力されている信号のレベルがハイレベルであれば、トレイ４が開位置に位置していないと判断される。
【０１１７】
トレイ４が開位置に位置しているときには（ステップＳ１のＹＥＳ）、駆動伝達機構１７３が制御されて、モータ１７１からカードＬＦローラ４３およびカード排出ローラ４５等が右側から見て時計回りに回転するように駆動力を伝達可能な状態とされる。これにより、カード導入口１２１からのカードＣＡの取り込みが許可される（ステップＳ２）。
【０１１８】
一方、トレイ４が開位置に位置していないときには（ステップＳ１のＮＯ）、駆動伝達機構１７３が制御されて、モータ１７１から供給ローラ４１等が右側から見て反時計回りに回転するように駆動力を伝達可能な状態とされる。これにより、カード排出ローラ４５等も右側から見て反時計回りに回転するため、画像読取装置１の前側にあるカード導入口１２１からのカードＣＡの取り込みが禁止される。つまり、カード導入口１２１にカードＣＡが挿入されようとしても、反時計回りに回転するカード排出ローラ４５により、カードＣＡが画像読取装置１の前方に排出され、カード導入口１２１に取り込まれない。それとともに、画像読取装置１の後側にあるシート導入口２０１からのシートＳＨの取り込みが許可される。
【０１１９】
＜作用効果＞
【０１２０】
以上のように、筐体２には、シート導入口２０１、シート排出口２０２、シート搬送路２０３およびカード導入口１２１が形成されている。シート導入口２０１は、筐体２において後側に形成されている。シート排出口２０２は、筐体２において前側に形成されている。シート搬送路２０３は、シート導入口２０１からシート排出口２０２へシートＳＨが搬送されるように構成されている。カード導入口１２１は、シート排出口２０２の一部として設けられ、シートＳＨよりも幅狭のカードＣＡが導入されるように構成されている。
【０１２１】
第１読取部１００および第２読取部６０は、シート搬送路２０３を搬送されるシートＳＨおよびカード導入口１２１に導入されるカードＣＡの画像を読み取る。
【０１２２】
トレイ４は、左右方向においてカード導入口１２１と同じ位置に配置されている。トレイ４は、左右方向に延びる回動軸１４８を中心に、筐体２に対して閉じた閉位置と筐体２に対して開いた開位置との間で回動可能に設けられている。また、トレイ４は、トレイ４が開位置に位置するときに、前後方向および左右方向に延びる載置部１３１と、その上面である載置面１３１Ｕから上方に突出し、前後方向に延びる壁部１４１とを備える。
【０１２３】
開位置に位置するトレイ４を利用して、カードＣＡがカード導入口１２１に挿入される。すなわち、カードＣＡが開位置に位置するトレイ４の載置面１３１Ｕ上に載置されて、そのカードＣＡが載置面１３１Ｕ上で壁部１４１に沿って前後方向に移動されることにより、カードＣＡがカード導入口１２１に挿入される。カードＣＡが壁部１４１に沿って移動されるので、カードＣＡがカード導入口１２１からずれたり、カードＣＡの姿勢が前後方向に対して斜めになったりすることを抑制できる。その結果、カードＣＡをカード導入口１２１に良好に挿入することができる。
【０１２４】
壁部１４１は、左右方向に間隔を空けて設けられ、それぞれ載置面１３１Ｕから上方に突出し、前後方向に延びる第１壁１４１Ｌ、第２壁１４１Ｒ、第１支持板部１４３および第２支持板部１４４を備えている。
【０１２５】
第１壁１４１Ｌおよび第１支持板部１４３と第２壁１４１Ｒおよび第２支持板部１４４との間にカードＣＡを配置することにより、カードＣＡを左右方向に位置決めすることができる。その結果、カードＣＡをカード導入口１２１に一層良好に挿入することができる。
【０１２６】
第１壁１４１Ｌおよび第１支持板部１４３と第２壁１４１Ｒおよび第２支持板部１４４との間隔は、カードＣＡの短辺の幅よりも大きく、カードＣＡの長辺の幅よりも小さい。
【０１２７】
これにより、カードＣＡがその短辺を左右方向に沿わせた向きでカード導入口１２１に挿入される。その結果、カードＣＡがその長辺を左右方向に沿わせた向きでカード導入口１２１に挿入されることを抑制できる。
【０１２８】
トレイ４は、閉位置に位置するときに、シート排出口２０２を左右方向にわたって開放する。
【０１２９】
これにより、トレイ４が閉位置に位置している状態で、トレイ４がシート排出口２０２からのシートＳＨの妨げになることを抑制できる。よって、シートＳＨをシート排出口２０２から良好に排出することができる。
【０１３０】
壁部１４１は、トレイ４が開位置に位置するときに、シート排出口２０２を上下方向に横切っている。
【０１３１】
これにより、トレイ４が開位置に位置している状態で、シート排出口２０２からのシートＳＨの排出を抑制できる。したがって、トレイ４が閉位置に位置している状態では、カードＣＡの画像の読取が行われ、トレイ４が開位置に位置している状態では、シートＳＨの画像の読取が行われることをユーザに容易に認識させることが出来る。
【０１３２】
回動軸１４８は、カード導入口１２１の上方に配置されている。
【０１３３】
これにより、シート排出口２０２からシートＳＨが排出されるときに、シートＳＨがトレイ４に衝突することを抑制できる。すなわち、シート排出口２０２からシートＳＨが排出されるときに、シートＳＨにおけるシート排出口２０２から脱け出した部分は、その重力によって下方に垂れ下がる。回動軸１４８がカード導入口１２１の上方に配置された構成では、閉位置に位置するトレイ４がカード導入口１２１の上方に配置される。よって、シートＳＨにおけるシート排出口２０２から脱け出した部分が閉位置に位置するトレイ４に衝突することを抑制できる。
【０１３４】
カード導入口１２１から導入されたカードＣＡが搬送されるように構成されるカード搬送路２０４と、シート搬送路２０３に設けられ、シートＳＨを搬送するように構成されるＬＦローラ４２と、カード搬送路２０４に設けられ、カードＣＡを搬送するように構成されるカードＬＦローラ４３と、トレイ４が開位置に位置しているか否かを検出するように構成される開位置センサ１６２と、開位置センサ１６２によってトレイ４が開位置に位置していることが検出されているときには、カードＬＦローラ４３が右側から見て時計回りに駆動され、開位置センサ１６２によってトレイ４が開位置に位置していないことが検出されているときには、供給ローラ４１およびＬＦローラ４２等が右側から見て反時計回りに駆動されるように構成される制御部１７２とを備えている。
【０１３５】
この構成によれば、トレイ４が開位置に位置しているときには、カードＣＡがカード搬送路２０４を搬送される。一方、トレイ４が閉位置に位置しているときには、シートＳＨがシート搬送路２０３を搬送される。従って、トレイ４の開閉に基づいて、カードＣＡの読取モードとシートＳＨの読取モードとの切り替えが行われる。従って、ユーザに画像読取装置１の使用方法を容易に認識させることが出来得る。つまり、トレイ４が開いているときはカードＣＡの画像が読み取られ、トレイ４が閉じているときはシートＳＨの画像が読み取られることをユーザに容易に認識させることが可能である。
【０１３６】
筐体２の排出側の面には、トレイ４の回動に伴って壁部１４１の一部が進入可能なスリット１６１が設けられており、開位置センサ１６２は、スリットに壁部１４１が進入しているか否かを検出するように構成されている。
【０１３７】
＜トレイの他の構成＞
【０１３８】
図６Ａ，６Ｂに示される構成に代えて、図９Ａ，９Ｂに示される構成が採用されてもよい。
【０１３９】
なお、図９Ａ，９Ｂでは、図６Ａ，６Ｂに示される各部に相当する部分には、それらの各部と同一の参照符号が付されている。また、以下では、図９Ａ，９Ｂに示される構成について、図６Ａ，６Ｂに示される構成との相違点のみを説明し、図６Ａ，６Ｂに示される各部と同一の参照符号が付された部分の説明を省略する。
【０１４０】
図９Ａ，９Ｂに示される構成では、トレイ４の各回動軸２４８は、カード導入口１２１の下方に配置されている。
【０１４１】
トレイ４は、上下方向および左右方向においてカード導入口１２１と同じ位置に配置されている。トレイ４は、左右方向に延びる回動軸２４８を中心に、筐体２に対して閉じた閉位置と筐体２に対して開いた開位置との間で回動可能に設けられている。
【０１４２】
トレイ４は、図１０に示されるように、載置部２３１および壁部２４１を備えている。
【０１４３】
トレイ４が開位置に位置するときに、図９Ｂに示されるように、載置部２３１の上面２３１Ｕは、前後方向および左右方向に延びる載置面をなす。
【０１４４】
壁部２４１は、図１０に示されるように、第１壁２４１Ｌおよび第２壁２４１Ｒを備えている。トレイ４が開位置に位置するときに、載置面２３１Ｕの左端縁および右端縁は、前後方向に延びる直線をなす。トレイ４が開位置に位置するときに、第１壁２４１Ｌは、載置面２３１Ｕの左端縁から上方に突出し、前後方向に延びる。第２壁２４１Ｒは、トレイ４が開位置に位置するときに、載置面２３１Ｕの右端縁から上方に突出し、前後方向に延びる。
【０１４５】
第１壁２４１Ｌと第２壁２４１Ｒとの間隔は、国際規格ＩＤ−１のカードサイズの短辺の長さよりも少し大きく、そのカードサイズの長辺の長さよりも小さい。
【０１４６】
また、トレイ４は、第１支持板部２４３および第２支持板部２４４を備えている。
【０１４７】
第１支持板部２４３は、トレイ４が開位置に位置するときに、載置部２４２の下面２４２Ｂにおける第１壁２４１Ｌの後端部と重なる部分から下方に突出する。第１支持板部２４３は、第１支持板部２４３と同じ厚さを有している。
【０１４８】
第２支持板部２４４は、トレイ４が開位置に位置するときに、載置部２３１の下面２３１Ｂにおける第２壁２４１Ｒの後端部と重なる部分から下方に突出する。第２支持板部２４４は、第２壁２４１Ｒと同じ厚さを有している。載置部２３１の下面２３１Ｂに対する第２支持板部２４４の突出量は、載置部２３１の下面２３１Ｂに対する第１支持板部２４３の突出量よりも大きい。
【０１４９】
回動軸２４８は、左右一対設けられている。左側の回動軸２４８は、第１支持板部２４３から左方に突出して設けられている。右側の回動軸２４８は、第２支持板部２４４から右方に突出して設けられている。一対の回動軸２４８は、左右方向に重なる部分に設けられて、その軸線が一致している。
【０１５０】
下部筐体１３は、一対の軸受部２５１を備えている。一対の軸受部２５１は、下部筐体１３の前面１３Ｆの右前端部に、互いに左右方向に第１支持板部２４３および第２支持板部２４４の間隔よりも少し大きい間隔を空けて設けられている。左側の軸受部２５１は、左側のカード排出ローラ４５の左側に配置されている。右側の軸受部２５１は、右側のカード排出ローラ４５の右側に配置されている。各軸受部２５１の中央部には、回動軸２４８の外径よりも少し大きい直径の軸受孔２５２が形成されている。
【０１５１】
一対の回動軸２４８は、一対の軸受部２５１の軸受孔２５２に左右方向の内側から挿通されている。各回動軸２４８は、軸受孔２５２に少し遊びを有する状態で挿通されている。これにより、各回動軸２４８は、カード導入口１２１の下方に配置され、軸受部２５１に回転可能に支持されている。
【０１５２】
また、スリット２６１が下部筐体１３における右側の軸受部２５１の左側に隣接する部分に形成されている。スリット２６１は、下部筐体１３の上端から下方に直線状に延びている。
【０１５３】
トレイ４が閉位置に位置する状態では、図９Ａに示されるように、トレイ４がカード導入口１２１の下方に配置される。トレイ４が閉位置に位置する状態で、載置面２３１Ｕは、上下方向に延び、下部筐体１３の前面１３Ｆと微小な間隔を空けて平行をなす。また、トレイ４が閉位置に位置する状態で、第２支持板部２４４は、スリット２６１に入り込む。
【０１５４】
＜トレイのさらに他の構成＞
【０１５５】
図２Ａに示される構成に代えて、図１１に示される構成が採用されてもよい。
【０１５６】
なお、図１１では、図２Ａに示される各部に相当する部分には、それらの各部と同一の参照符号が付されている。また、以下では、図１１に示される構成について、図２Ａに示される構成との相違点のみを説明し、図２Ａに示される各部と同一の参照符号が付された部分の説明を省略する。
【０１５７】
図１１に示される構成では、トレイ４は、左右方向においてカード導入口１２１と同じ位置に配置されている。トレイ４が開位置に位置するときのカード導入口１２１の位置を仮想線で示している。トレイ４は、左右方向に延びる回動軸３４８を中心に、上部筐体１４の上面１４Ｕに形成された凹部３００内に配置される閉位置と筐体２の前側に配置される開位置との間で回動可能に設けられている。
【０１５８】
トレイ４は、載置部３３１および壁部３４１を備えている。
【０１５９】
トレイ４が開位置に位置するときに、図１２Ｂに示されるように、載置部３３１の上面３３１Ｕは、前後方向および左右方向に延びる載置面をなす。
【０１６０】
壁部３４１は、第１壁３４１Ｌおよび第２壁３４１Ｒを備えている。トレイ４が開位置に位置するときに、載置面３３１Ｕの左端縁および右端縁は、前後方向に延びる直線をなす。トレイ４が開位置に位置するときに、第１壁３４１Ｌは、載置面３３１Ｕの左端縁から上方に突出し、前後方向に延びる。トレイ４が開位置に位置するときに、第２壁３４１Ｒは、載置面３３１Ｕの右端縁から上方に突出し、前後方向に延びる。
【０１６１】
第１壁３４１Ｌと第２壁３４１Ｒとの間隔は、国際規格ＩＤ−１のカードサイズの短辺の長さよりも少し大きく、そのカードサイズの長辺の長さよりも小さい。
【０１６２】
トレイ４は、第１支持部３５１Ｌおよび第２支持部３５１Ｒによって支持されている。第１支持部３５１Ｌの一端は、第１壁３４１Ｌの後端部と接続されている。第２支持部３５１Ｒの一端部は、第２壁３４１Ｒの後端部と接続されている。第１支持部３５１Ｌおよび第２支持部３５１Ｒと載置部３３１とがなす角度は、凹部３００の底面３００Ｓと上部筐体１４の前面１４Ｆとがなす角度と同一である。第１支持部３５１Ｌおよび第２支持部３５１Ｒの他端部には、それぞれ軸受孔３５２が左右方向に貫通して形成されている。
【０１６３】
また、２つの凹部３０１が上部筐体１４の前面１４Ｆに形成されている。一方の凹部３０１は、左側のカード排出ピンチローラ８５の左側に形成されている。その一方の凹部３０１は、上下方向において、前面１４Ｆの下端縁と凹部３００の底面３００Ｓとに跨がっている。他方の凹部３０１は、右側のカード排出ピンチローラ８５の右側に形成されている。他方の凹部３０１は、上下方向において、前面１４Ｆの下端縁と凹部３００の底面３００Ｓとに跨がっている。
【０１６４】
さらに、２つの凹部３０２が下部筐体１３の前面１３Ｆに形成されている。一方の凹部３０２は、左側のカード排出ローラ４５の左側に形成されている。その一方の凹部３０２は、上下方向において、前面１３Ｆの上端縁と左側のカード排出ローラ４５の下端部とに跨がっている。他方の凹部３０２は、上下方向において、前面１３Ｆの上端縁と左側のカード排出ローラ４５の下端部とに跨がっている。
【０１６５】
第１支持部３５１Ｌおよび第２支持部３５１Ｒの各他端部は、凹部３０１内の下端部に配置されている。回動軸３４８が各凹部３０１内の下端部に設けられている。回動軸３４８は、左右方向に延びている。回動軸３４８は、第１支持部３５１Ｌおよび第２支持部３５１Ｒの各他端部の軸受孔３５２に挿通されている。これにより、第１支持部３５１Ｌおよび第２支持部３５１Ｒは、各回動軸３４８に回転可能に支持されている。
【０１６６】
画像読取装置１は、図１２Ｂに示されるように、開位置センサ３６２を備えている。開位置センサ３６２は、たとえば、マイクロスイッチからなる。開位置センサ３６２のアクチュエータ３６３は、底面３００Ｓから上方に突出している。トレイ４が開位置に位置するときには、開位置センサ３６２からローレベルの信号が出力される。トレイ４が開位置に位置するときには、トレイ４の載置面３３１Ｕがアクチュエータ３６３に当接し、アクチュエータ３６３が下方に変位することにより、開位置センサ３６２からハイレベルの信号が出力される。
【０１６７】
よって、開位置センサ３６２から出力される信号のレベルに基づいて、トレイ４が開位置にあるか否かを検知することができる。
【０１６８】
また、画像読取装置１は、カードＣＡの画像の読み取りの開始を指示するためのカード読取開始スイッチ３７１を備えている。カード読取開始スイッチ３７１は、たとえば、矩形状のボタンからなり、凹部３００の底面３００Ｓに形成された開口３７２内に配置されている。カード読取開始スイッチ３７１は、その上面が底面３００Ｓと同一平面上にあるように配置されている。カード読取開始スイッチ３７１が押されることにより、カードＬＦローラ４３の駆動が開始される。トレイ４が閉位置に位置するときには、カード読取開始スイッチ３７１がトレイ４に覆い隠されるので、カード読取開始スイッチ３７１を押すことができない。よって、トレイ４が開位置に位置するときにのみ、カード読取開始スイッチ３７１を押すことができ、カードＣＡをカード導入口１２１内に引き込ませて、カードＣＡの画像を読み取ることができる。
【０１６９】
また、前述の構成には、特許請求の範囲に記載された事項の範囲で種々の設計変更を施すことが可能である。
【０１７０】
たとえば、上述の実施形態においては、駆動伝達機構１７３を介して、モータ１７１の駆動力が供給ローラ４１、ＬＦローラ４２、カードＬＦローラ４３、排出ローラ４４およびカード排出ローラ４５に伝達されていた。しかし、これに限らず、例えば、モータ１７１の駆動力が供給ローラ４１、ＬＦローラ４２と、カードＬＦローラ４３と、で別々に伝達されていてもよい。また、モータが２つ備えられ、各々のモータが供給ローラ４１、ＬＦローラ４２と、カードＬＦローラ４３と、で別々の駆動伝達機構を介して連結されていてもよい。これらの場合、トレイ４が開位置に位置するときは、カードＬＦローラ４３に駆動力が伝達され、供給ローラ４１、及びＬＦローラ４２への駆動力伝達が遮断されるとよい。また、トレイ４が閉位置に位置するときは、カードＬＦローラ４３への駆動力の伝達が遮断され、供給ローラ４１、及びＬＦローラ４２へ駆動力が伝達されるとよい。このような構成によっても、トレイ４の開閉に基づいて、カードＣＡの読取モードとシートＳＨとの読取モードとを切り換えることが可能である。
【符号の説明】
【０１７１】
１        画像読取装置
２        筐体
４        トレイ
４１      供給ローラ
４２      ＬＦローラ
４３      カードＬＦローラ
４４      排出ローラ
４５      カード排出ローラ
６０      第１読取部
１００    第２読取部
１２１    カード導入口
１３１Ｕ  載置面
１４１    壁部
１４１Ｌ  第１壁
１４１Ｒ  第２壁
１４３    第１支持板部
１４４    第２支持板部
１４８    回動軸
１６１    スリット
１７２    制御部
２０１    シート導入口
２０２    シート排出口
２０３    シート搬送路
２０４    カード搬送路
ＣＡ      カード
ＳＨ      シート
【図１Ａ】
2014072668.tif 000003
【図１Ｂ】
2014072668.tif 000004
【図２Ａ】
2014072668.tif 000005
【図２Ｂ】
2014072668.tif 000006
【図３】
2014072668.tif 000007
【図４】
2014072668.tif 000008
【図５】
2014072668.tif 000009
【図６Ａ】
2014072668.tif 000010
【図６Ｂ】
2014072668.tif 000011
【図７】
2014072668.tif 000012
【図８】
2014072668.tif 000013
【図９Ａ】
2014072668.tif 000014
【図９Ｂ】
2014072668.tif 000015
【図１０】
2014072668.tif 000016
【図１１】
2014072668.tif 000017
【図１２Ａ】
2014072668.tif 000018
【図１２Ｂ】
2014072668.tif 000019